(57)【特許請求の範囲】
【請求項１】
便器本体の上部に設置された機能部と、該機能部に設けられた回動軸部の軸線を中心に回動可能な便座と、前記機能部から引き出され前記便座の内部に引き込まれる電線と、を有する便座装置において、
前記便座は、前記機能部と前記回動軸部の軸線方向に対向し前記回動軸部が接続される回動軸接続部が形成されたヒンジ部を有し、
前記機能部には、前記回動軸部の近傍に前記電線が引き出される引き出し口が形成され、
前記ヒンジ部には、前記回動軸接続部の近傍に前記電線が引き込まれる引き込み口が形成され、
前記引き出し口と前記引き込み口とは、前記回動軸部の軸線方向に対向していて、
前記電線のうちの前記引き出し口から引き出されて前記引き込み口に引き込まれる部分は、前記回動軸部の軸線と平行に延びる姿勢に保持されていることを特徴とする便座装置。
【請求項２】
前記電線のうちの前記引き出し口から引き出されて前記引き込み口に引き込まれる部分を前記回動軸部の軸線と平行に延びる姿勢に保持するガイド部材と、
前記機能部に設けられて前記ガイド部材を前記回動軸部の近傍に保持するガイド保持部材と、を有する請求項１に記載の便座装置。
【請求項３】
前記ガイド部材は、前記引き込み口から前記便座の内部に挿入されていて、
前記便座が前記便器本体の上部に横臥した状態となると、前記引き込み口の縁部と前記ガイド部材との間にクリアランスが形成されている請求項２に記載の便座装置。
【請求項４】
前記ヒンジ部には、前記便座の裏側に突出する膨出部が形成されている請求項１乃至３のいずれか一項に記載の便座装置。
【請求項５】
前記ヒンジ部は、板面が前記回動軸部の軸線方向を向く板状に形成され、
前記引き込み口は、前記回動軸部の軸線を中心とする１／４円弧状に形成されている請求項１乃至４のいずれか一項に記載の便座装置。
【発明の詳細な説明】
【技術分野】
【０００１】
本発明は、便座装置に関する。
【背景技術】
【０００２】
暖房機能付きの便座を有する便座装置では、便座の内部にヒータが配置されている。このヒータに連結された電線は、便器本体の上部に設置された機能部から引き出され、便座の内部へと引き込まれている（例えば、特許文献１参照）。
【先行技術文献】
【特許文献】
【０００３】
【特許文献１】特開２０１５−０５４０９０号公報
【発明の概要】
【発明が解決しようとする課題】
【０００４】
しかしながら、機能部と便座の内部との間に配置された電線は、機能部が収容されたケーシングと便座との連結箇所において外部に露出する部分があるため、意匠性を損ねるとともに、電線の外部に露出する部分が断線する虞があるいう問題がある。特に、電線を便座の回動軸部の内部に通すことができない場合、電線が外部に露出してしまい意匠性を損ねているとともに、電線の外部に露出する部分が断線する虞がある。
【０００５】
そこで、本発明は、意匠性を向上させることができるとともに、電線が断線する虞がない便座装置を提供することを目的とする。
【課題を解決するための手段】
【０００６】
上記目的を達成するため、本発明に係る便座装置は、便器本体の上部に設置された機能部と、該機能部に設けられた回動軸部の軸線を中心に回動可能な便座と、前記機能部から引き出され前記便座の内部に引き込まれる電線と、を有する便座装置において、前記便座は、前記機能部と前記回動軸部の軸線方向に対向し前記回動軸部が接続される回動軸接続部が形成されたヒンジ部を有し、前記機能部には、前記回動軸部の近傍に前記電線が引き出される引き出し口が形成され、前記ヒンジ部には、前記回動軸接続部の近傍に前記電線が引き込まれる引き込み口が形成され、前記引き出し口と前記引き込み口とは、前記回動軸部の軸線方向に対向していて、前記電線のうちの前記引き出し口から引き出されて前記引き込み口に引き込まれる部分は、前記回動軸部の軸線と平行に延びる姿勢に保持されていることを特徴とする。
【０００７】
本発明では、機能部とヒンジ部とが回動軸部の軸線方向に対向しているとともに、電線のうちの引き出し口から引き出されて引き込み口に引き込まれる部分が回動軸部の軸線と平行に延びる姿勢に保持されている。これにより、電線のうちの引き出し口から引き出されて引き込み口に引き込まれる部分を少なくすることができるとともに、この部分をヒンジ部と機能部との間に配置することができるため、電線の外部に露出する部分を少なくすることができる。
【０００８】
また、本発明に係る便座装置では、前記電線のうちの前記引き出し口から引き出されて前記引き込み口に引き込まれる部分を前記回動軸部の軸線と平行に延びる姿勢に保持するガイド部材と、前記機能部に設けられて前記ガイド部材を前記回動軸部の近傍に保持するガイド保持部材と、を有することが好ましい。
このような構成とすることにより、電線のうちの引き出し口から引き出されて引き込み口に引き込まれる部分を回動軸部の軸線と平行に延びる姿勢に確実に保持することができる。
【０００９】
また、本発明に係る便座装置では、前記ガイド部材は、前記引き込み口から前記便座の内部に挿入されていて、前記便座が前記便器本体の上部に横臥した状態となると、前記引き込み口の縁部と前記ガイド部材との間にクリアランスが形成されていることが好ましい。
このような構成とすることにより、便座が便器本体の上に横臥した状態において使用者が着座するなどして便座に負荷がかかった際に、便座からガイド部を介して電線にかかる負荷を軽減することができ、断線を防止できる。
【００１０】
また、本発明に係る便座装置では、前記ヒンジ部には、前記便座の裏側に突出する膨出部が形成されていることが好ましい。
このような構成とすることにより、膨出部に引き込み口を形成することができるため、広い範囲において引き込み口を形成することができる。これにより、引き出し口と引き込み口とを回動軸部の軸線方向に重なる位置に確実に配置することができ、電線のうちの引き出し口から引き出されて引き込み口に引き込まれる部分をヒンジ部と機能部との間に確実に配置することができるため、電線の外部に露出する部分を少なくすることができる。
【００１１】
また、本発明に係る便座装置では、前記ヒンジ部は、板面が前記回動軸部の軸線方向を向く板状に形成され、前記引き込み口は、前記回動軸部の軸線を中心とする１／４円弧状に形成されていることが好ましい。
このような構成とすることにより、ヒンジ部が棒状に形成されている場合と比べて、広い範囲において引き込み口を形成することができる。そして、引き込み口は、回動軸部の軸線を中心とする円弧状に形成されているため、便座が回動軸部の軸線を中心に回動しても、引き出し口と引き込み口とを常に回動軸部の軸線方向に重なる位置に配置することができる。これにより、電線のうちの引き出し口から引き出されて引き込み口に引き込まれる部分をヒンジ部と機能部との間に確実に配置することができるため、電線の外部に露出する部分を少なくすることができる。
【発明の効果】
【００１２】
本発明によれば、意匠性を向上させることができるとともに、電線が断線する虞がない。
【図面の簡単な説明】
【００１３】
【図１】本発明の実施形態による便器の一例を示す斜視図である。
【図２】開状態の便座を説明する図である。
【図３】ガイド保持部材が取り付けられていないケーシングを説明する図である。
【図４】ガイド保持部材が取り付けられたケーシングを説明する図である。
【図５】便座の内部を説明する図で裏板部側から見た図である。
【図６】電線経由部材の一例を示す斜視図である。
【図７】第１ヒンジ部のケーシングと対向する側を示す図である。
【図８】第１ヒンジ部をケーシングと対向する側から見た斜視図である。
【図９】（ａ）はガイド部材を示す斜視図、（ｂ）はガイド部材を示す他の方向から見た斜視図である。
【図１０】（ａ）はガイド保持部材を示す斜視図、（ｂ）はガイド保持部材を示す他の方向から見た斜視図である。
【図１１】（ａ）は便座が閉状態となったときのガイド部材およびガイド保持部材を示す斜視図、（ｂ）は便座が開状態となったときのガイド部材およびガイド保持部材を示す斜視図である。
【図１２】便座が閉状態となったときの便座とガイド部材の位置関係を示す図である。
【図１３】便座が閉状態から開状態に向かうときの便座とガイド部材の位置関係を示す図である。
【図１４】便座が開状態となったときの便座とガイド部材の位置関係を示す図である。
【図１５】便座が開状態から閉状態に向かうときの便座とガイド部材の位置関係を示す図である。
【発明を実施するための形態】
【００１４】
以下、本発明の実施形態による便座装置について、図１乃至図１５に基づいて説明する。
図１に示すように、本実施形態による便座装置１は、便器１１の便器本体１２の上部に配置された機能部２と、機能部２に設けられた便座開閉機構２１に回動可能に支持された便座３と、を有している。便座３には、暖房機能が設けられていて内部に便座３を暖房するためのヒータ（不図示）が装着されている。
【００１５】
機能部２は、便座開閉機構２１の他に、局部洗浄装置、脱臭装置、便蓋開閉機構などの各種機能装置や機能部品、これらを制御する制御部やこれらに電源を供給する電源部などを有している。本実施形態では、機能部２の制御部が便座３のヒータの制御を行い、電源部がヒータに電源を供給している。
また、機能部２は、これらの各種機能装置、機能部品、制御部や電源部などを収容するケーシング２２と、ケーシング２２の上面を負うカバー２３と、を有している。
ここで、便器１１の機能部２が設けられている側を前後方向の後側とし、便座３が設けられている側を前後方向の前側とする。また、この前後方向に直交する水平方向を幅方向とする。
また、図１に示すような便座３の使用者が着座可能となるように横臥している状態を閉状態とし、図２に示すような起立した状態を開状態とする。
【００１６】
図３に示すように、ケーシング２２は、機能部２の上側に配置される上板部２２１と、機能部２の幅方向の両側方それぞれに配置される一対の側板部２２２，２２３と、機能部２の前側に配置される前板部２２４と、機能部２の後側に配置される後板部２２５と、を有している。一対の側板部２２２，２２３は、それぞれ後部側よりも前部側が幅方向の内側となるように前後方向の中間部に段部２２２ａ，２２３ａが形成されている。
一対の側板部２２２，２２３には、段部２２２ａ，２２３ａよりも前側に便座開閉機構２１の回動軸部２１１が貫通する回動軸部用貫通孔２２２ｂ，２２３ｂが形成されている。便座開閉機構２１の回動軸部２１１は、軸線方向が幅方向となる向きに配置されている。
一対の側板部２２２，２２３のうちの幅方向の一方側に配置された側板部２２２を第１側板部２２２とし、幅方向の他方側に配置された側板部２２３を第２側板部２２３とする。
【００１７】
ケーシング２２には、第１側板部２２２に形成された回動軸部用貫通孔２２２ｂの近傍で回動軸部用貫通孔２２２ｂよりも前側に便座３のヒータに接続される電線４（図５参照）を機能部２の電源部（不図示）から引き出すための引き出し口２２６と、引き出し口２２６と連続しガイド保持部材７（図４参照）が装着されるガイド保持部材用凹部２２７と、が形成されている。図４は、ガイド保持部材用凹部２２７にガイド保持部材７が装着された様子を示している。引き出し口２２６およびガイド保持部材用凹部２２７は、第１側板部２２２における第１ヒンジ部３５（図２参照）と幅方向（回動軸部２１１の軸線方向）に対向する位置に配置されている。なお、引き出し口２２６およびガイド保持部材用凹部２２７は、便座３が開閉した際に常に第１ヒンジ部３５と幅方向に対向する位置に配置されていることが好ましい。
図３に戻り、ケーシング２２には、ガイド保持部材用凹部２２７と連続して、ガイド保持部材７の第１被係止部７２（図１０参照）が挿入される第１係止孔部２２８と、ガイド保持部材７の第２被係止部７３（図１０参照）が挿入される第２係止孔部２２９と、が形成されている。
【００１８】
図１、図２および図５に示すように、便座３は、閉状態において上側となる表板部３１と、閉状態において下側となる裏板部３２（図１および図２参照）と、を有している。表板部３１と裏板部３２とは、それぞれの縁部が溶着されていて、これらの間に空部３３が形成されている。表板部３１と裏板部３２との間の空部３３には、ヒータと、ヒータに接続される電線４（図５参照）と、電線４が経由する電線経由部材５（図５参照）と、を有している。
ここで、便座３のうちの使用者が着座可能な環状またはＵ字型状の部分を着座部３４とし、閉状態の着座部３４の後端部における幅方向の両端部からそれぞれ後側に突出し回動軸部２１１が接続される部分を一対のヒンジ部３５，３６とする。着座部３４および一対のヒンジ部３５，３６は、それぞれ表板部３１と裏板部３２とから形成されていて、内部に空部が形成されている。
【００１９】
一対のヒンジ部３５，３６は、それぞれケーシング２２の側板部２２２，２２３の段部２２２ａ，２２３ａよりも前側の部分と幅方向（回動軸部２１１の軸線方向）に対向配置されている。一対のヒンジ部３５，３６それぞれの内側面（機能部３と対向する面）には、側板部２２２，２２３と対向する面が形成されている。本実施形態では、一対のヒンジ部３５，３６は、板面が幅方向を向く板状に形成されている。
本実施形態では、一対のヒンジ部３５，３６のうちの幅方向の一方側に配置された第１ヒンジ部３５から便座３の内部にヒータに接続される電線４が引き込まれている。以下では、第１ヒンジ部３５の形態について説明し、一対のヒンジ部３５，３６のうちの幅方向の他方側に配置された第２ヒンジ部３６については、形状や形態を限定しないものとする。
【００２０】
図５に示すように、電線経由部材５は、第１ヒンジ部３５と着座部３４との境界部分に設けられていて、便座３の表板部３１の裏面に沿って配置される底板部５１と、底板部５１の外縁部全体から裏板部３２側に突出する筒状の側板部５２と、を有している。
側板部５２には、第１ヒンジ部３５から電線経由部材５に電線４を引き込むための第１貫通孔５３と、電線経由部材５から着座部３４へ電線４を引き出すための第２貫通孔５４と、が形成されている。
本実施形態では、電線経由部材５に引き込まれた電線４は、余裕を持った状態で円を描くように一巻きされている。このため、電線４は、例えば便座３を開閉する場合など張力が作用しても過度に引っ張られることが防止される。
【００２１】
図６に示すように、本実施形態では、電線経由部材５の側板部５２の先端部には、全体にわたって裏板部３２側に開口する溝部５２１が形成されている。電線経由部材５は、便座３の表板部３１と裏板部３２間に配置され、表板部３１と裏板部３２とが溶着されると、溝部５２１がつぶれるように弾性変形して側板部５２の先端部が裏板部３２と密着するように構成されている。
また、電線経由部材５は、便座３の表板部３１と裏板部３２との間に配置され、表板部３１と裏板部３２が溶着されると、側板部５２が第１ヒンジ部３５と着座部３４とを連通させないように弾性変形して表板部３１および裏板部３２と密着するように構成されている。
これにより、電線経由部材５によって第１ヒンジ部３５と着座部３４とが分断され、電線経由部材５と表板部３１および裏板部３２との間に隙間が形成されない構造となる。したがって、引き込み口３５３を介して第１ヒンジ部３５の内部に水が浸入したとしても、電線経由部材５によって第１ヒンジ部３５から着座部３４の内部に水が浸入することを防止できる。
【００２２】
図７および図８に示すように、第１ヒンジ部３５には、回動軸部２１１（図３参照）が貫通して接続される回動軸接続部３５１と、便座３が開状態となると下部側における前端部に配置され前側に突出する膨出部３５２と、第１ヒンジ部３５の内部に電線４（図５参照）を引き込むための引き込み口３５３と、が形成されている。なお、図７および図８では、便座３が開状態のときの第１ヒンジ部３５を示している。
回動軸接続部３５１は、回動軸部２１１が貫通することで回動軸部２１１に係止されるように構成されている。
膨出部３５２は、便座３が閉状態となると第１ヒンジ部３５の後部側における下端部に配置されている。
【００２３】
引き込み口３５３は、第１ヒンジ部３５の第１側板部２２２と対向する側の回動軸接続部３５１の近傍に形成されている。
引き込み口３５３は、幅方向の他方側（機能部２側）から見て、回動軸接続部３５１の外側に回動軸部２１１と略同軸の略１／４円弧状に形成されている。引き込み口３５３は、便座３が閉状態となると回動軸接続部３５１の上側から前側に１／４円弧状に延びるように形成されている。なお、引き込み口３５３は、便座３が閉状態となると回動軸接続部３５１の前側から下側に１／４円弧状に延びるように形成されている。引き込み口３５３のうちの便座３が開状態となったときに上側かつ後側となる端部を第１端部３５３ａとし、下側かつ前側となる端部を第２端部３５３ｂとする。
引き込み口３５３は、第２端部３５３ｂ近傍が膨出部３５２にわたるように形成されている。
図５に示すように、本実施形態では、電線４が引き込み口３５３から便座３の内部に引き込まれると、電線４に装着されたガイド部材６が引き込み口３５３を貫通するように配置されている。
【００２４】
図５および図９に示すように、ガイド部材６は、円筒状に形成された円筒部６１と、円筒部６１の軸線方向の一方の端部６１ａから円筒部６１の径方向外側に突出する突出部６２と、を有している。
円筒部６１は、内部に電線４（図５参照）が挿通されるように構成されている。
突出部６２には、円筒部６１の軸線方向の一方側に開口し、円筒部６１との接続部から円筒部６１の径方向外側に延びる溝部５２１が形成されている。溝部５２１は、内部に電線４を配置されるように構成されている。
このため、円筒部６１に軸線方向の他方の端部６１ｂから挿入され軸線方向の一方の端部６１ａから引き出された電線４を、溝部５２１の内部に溝部５２１が延びる方向に沿わせると、電線４は、円筒部６１と突出部６２との接続部分で略直角に折れ曲がった状態となるようにガイドされている。
【００２５】
図１０に示すように、ガイド保持部材７は、ガイド部材６を保持する本体部７１と、本体部７１と一体に形成されケーシング２２に係止される第１被係止部７２および第２被係止部７３と、本体部７１と一体に形成され、本体部７１とケーシング２２の引き出し口２２６との隙間を覆う隙間覆い部７４と、便座３が開き過ぎることを防止するストッパ７５と、を有している。
【００２６】
本体部７１には、ガイド部材６の円筒部６１（図９参照）を挿入可能な貫通孔７１１が形成されている。図１１に示すように、貫通孔７１１に挿入された円筒部６１は、貫通孔７１１の内部において軸線回りに回動可能に構成されている。
ガイド保持部材７は、本体部７１の貫通孔７１１の軸線方向が幅方向となる向きでケーシング２２のガイド保持部材用凹部２２７に挿入されている。ガイド保持部材７がガイド保持部材用凹部２２７に挿入されると、貫通孔７１１とケーシング２２の引き出し口２２６とが幅方向に重なる向きに配置される。
【００２７】
このため、引き出し口２２６から引き出された電線４を、貫通孔７１１の内部に配置されたガイド部材６の円筒部６１の内部に挿通させて、第１ヒンジ部３５の内部に挿入されたガイド部材６の突出部６２の溝部５２１に沿わせることで、電線４を機能部２（図３参照）から第１ヒンジ部３５の内部に挿入することができる。
このとき、電線４のうち引き出し口２２６から引き出されて引き込み口３５３に引き込まれる部分は、円筒部６１に挿通されていて、幅方向に延びて回動軸部２１１の軸線と平行な姿勢に保持されている。
【００２８】
第１被係止部７２および第２被係止部７３は、本体部７１から下方に突出している。本実施形態では、第１被係止部７２と第２被係止部７３とは、幅方向に間隔をあけて配置され、第１被係止部７２のほうが第２被係止部７３よりも上下方向の寸法および断面形状が大きく形成されている。
第１被係止部７２は、ケーシング２２に形成された第１係止孔部２２８に挿入され、第２被係止部７３は、ケーシング２２に形成された第２係止孔部２２９に挿入されるように構成されている。第１被係止部７２が第１係止孔部２２８に挿入され、第２被係止部７３が第２係止孔部２２９に挿入されると、ガイド保持部材７がケーシング２２および機能部２に対して正位置に配置されるように構成されている。
【００２９】
隙間覆い部７４は、板面が上下方向を向き、本体部７１の上縁部から前側、後側および幅方向の他方側（第１側板部２２２と離間する側）に突出する板状に形成されている。図４に示すように、隙間覆い部７４は、突出側の端部がケーシング２２の上板部２２１の上部に配置され、本体部７１とケーシング２２のカバー保持部材用凹部との隙間を覆っている。
ストッパ７５は、本体部７１から第１ヒンジ部３５側に突出し、先端部側が引き込み口３５３から第１ヒンジ部３５の内部に入り込むように構成されている。ストッパ７５は、便座３が開閉すると引き込み口３５３の円弧に沿うように便座３と相対移動するように構成されている。そして、ストッパ７５は、便座３が開ききると引き込み口３５３の縁部のうちの下部側の部分とあたり、便座３がこれ以上開くことを阻止している。
【００３０】
このようなガイド保持部材７に円筒部６１が保持されるとともに、第１ヒンジ部３５の内部に突出部６２が配置されたガイド部材６は、円筒部６１の軸線を中心に回動すると、突出部６２が第１ヒンジ部３５の内部で回動するように構成されている。また、ガイド部材６は、便座３が開閉すると引き込み口３５３の円弧に沿うように便座３と相対移動するように構成されている。
【００３１】
次に、便座が開閉した際のガイド部材６および電線の動作について説明する。
図１２に示すように便座３が閉状態のときには、ガイド部材６は、突出部６２が円筒部６１から前側に突出する姿勢に配置され、円筒部６１が引き込み口３５３の第１端部３５３ａ近傍に配置されている。このとき、円筒部６１は、引き込み口３５３の縁部とは当接せずに、引き込み口３５３の縁部との間にクリアランス（隙間）３５３ｃが形成されている。
【００３２】
図１３に示すように、便座３が閉状態から開状態に向かって回動すると、ガイド部材６の円筒部６１は、便座３に対して引き込み口３５３の第１端部３５３ａから第２端部３５３ｂ側に向かった位置に配置される。なお、ガイド部材６の円筒部６１がガイド保持部材７に保持されているため機能部２（図１参照）に対する位置は変わらない。
このとき、便座３とともに便座３に引き込まれた電線４も回動するため、ガイド部材６は、突出部６２の内部に配置された電線の動きに追従して突出部６２が上側に向かうように円筒部６１の軸線を中心に回動する。
電線４のうち円筒部６１に挿通されている部分は、機能部２に対する位置や向きが変わらない。また、電線４のうち円筒部６１に挿通されている部分は、円筒部６１の回動には追従せず、電線４のうちの便座３に引き込まれた部分の動作に追従して円筒部６１の内部において回動する。
【００３３】
図１４に示すように便座３が開状態となると、ガイド部材６は、円筒部６１が引き込み口３５３の第２端部近傍に配置され、突出部６２が円筒部６１から上側に突出した向きとなる。
【００３４】
図１５に示すように、便座３が開状態から閉状態に向かって回動すると、ガイド部材６の円筒部６１は、便座３に対して引き込み口３５３の第２端部３５３ｂから第１端部３５３ａ側に向かった位置に配置される。
このとき、便座３とともに便座３に引き込まれた電線４も回動するため、ガイド部材６は、突出部６２の内部に配置された電線の動きに追従して突出部６２が下側に向かうように円筒部６１の軸線を中心に回動する。
そして、図１２に示すように、便座３が閉状態となる。
【００３５】
次に、上述した便座装置の作用・効果について図面を用いて説明する。
上述した本実施形態による便座装置１では、機能部２と第１ヒンジ部３５とが回動軸部２１１の軸線方向（幅方向）に対向しているとともに、電線４のうちの引き出し口２２６から引き出されて引き込み口３５３に引き込まれる部分が、回動軸部２１１の近傍において回動軸部２１１と平行に延びる姿勢に保持されている。これにより、電線４のうちの引き出し口２２６から引き出されて引き込み口３５３に引き込まれる部分を少なくすることができるとともに、この部分を第１ヒンジ部３５と機能部２との間に配置することができるため、電線４の外部に露出する部分を少なくすることができる。
これにより、便座装置１の意匠性を向上させることができるとともに、電線４が外部に露出していることによる断線の虞がない。
【００３６】
また、本実施形態では、ガイド部材６と、ガイド保持部材７と、を有することにより、電線４を引き出し口２２６から引き込み口３５３に向かって回動軸部２１１と平行に延びる姿勢に確実に保持することができる。
【００３７】
閉状態の便座３の引き込み口３５３の縁部とガイド部材６との間にはクリアランス３５３ｃが形成されていることにより、閉状態の便座３に使用者が着座するなどして負荷がかかった際に、電線４に係る負荷を軽減することができ、断線を防止できる。
【００３８】
便座３は、回動軸部２１１が接続される第１ヒンジ部３５を有し、第１ヒンジ部３５には、便座３の裏側となる側から突出する膨出部３５２が形成されていることにより、膨張部に引き込み口３５３を形成することができるため、広い範囲において引き込み口３５３を形成することができて、電線４が露出する部分を少なくすることができる。
【００３９】
便座３は、回動軸部２１１が接続される第１ヒンジ部３５を有し、該第１ヒンジ部３５は、便座３が回動軸部２１１を中心に回動した際に常に機能部２の引き出し口２２６と対向する形状に形成されていることにより、第１ヒンジ部３５に常に機能部２引き出し口２２６と対向する引き込み口３５３を形成することができるため、電線４が露出する部分を少なくすることができる。
また、第１ヒンジ部３５は、板面が幅方向を向く板状に形成されていることにより、第１ヒンジ部３５が棒状に形成されている場合と比べて、広い範囲において引き込み口３５３を形成することができる。また、引き込み口３５３は、回動軸部２１１を中心とする１／４円弧状に形成されていることにより、便座３が回動軸部２１１を中心に回動しても、引き出し口２２６と引き込み口３５３とを常に幅方向に重なる位置に配置することができる。これにより、電線４が露出する部分を少なくすることができる。
【００４０】
以上、本発明による便座装置の実施形態について説明したが、本発明は上記の実施形態に限定されるものではなく、その趣旨を逸脱しない範囲で適宜変更可能である。
例えば、上記の実施形態では、ガイド部材６およびガイド保持部材７が設けられているが、電線４のうちの引き出し口２２６から引き出されて引き込み口３５３に引き込まれる部分が回動軸部２１１の軸線と平行に延びる姿勢に保持されていれば、ガイド部材６およびガイド保持部材７が設けられていなくてもよい。
【００４１】
また、上記の実施形態では、ガイド部材６は、引き込み口３５３から便座３の内部に挿入されていて、閉状態の便座３の引き込み口３５３の縁部とガイド部材６との間にはクリアランス３５３ｃが形成されているが、ガイド部材６と便座３とが引き込み口３５３に沿って相対移動可能であれば、クリアランス３５３ｃが形成されていなくてもよい。
また、上記の実施形態では、第１ヒンジ部３５には、便座３の裏側に突出する膨出部３５２が形成されているが形成されていなくてもよい。
【００４２】
また、上記の実施形態では、第１ヒンジ部３５は、板面が回動軸部２１１の軸線方向を向く板状に形成されているが、このように形成されていなくてもよい。
また、上記の実施形態では、引き込み口３５３は、回動軸部２１１を中心とする１／４円弧状に形成されているが、便座３の開閉角度に合せて１／４円弧以外の円弧状に形成されていてもよいし、円弧状以外の形状に形成されていてもよい。
また、上記の実施形態では、便蓋が設けられているが、便蓋が設けられていなくてもよい。
また、上記の実施形態では、電線経由部材５が設けられているが、設けられていなくてもよい。また、本実施形態と異なる形態の電線経由部材５が設けられていてもよい。
【符号の説明】
【００４３】
１  便座装置
２  機能部
３  便座
４  電線
５  電線経由部材
６  ガイド部材
７  ガイド保持部材
１１  便器
１２  便器本体
２１  便座開閉機構
２２  ケーシング
３４  着座部
３５  第１ヒンジ部（ヒンジ部）
６１  円筒部
６２  突出部
７１  本体部
７２  第１被係止部
７３  第２被係止部
２１１  回動軸部
２２６  引き出し口
３５１  回動軸接続部
３５２  膨出部
３５３  引き込み口
３５３ｃ  クリアランス
【図１】
0006574397.tif 000002
【図２】
0006574397.tif 000003
【図３】
0006574397.tif 000004
【図４】
0006574397.tif 000005
【図５】
0006574397.tif 000006
【図６】
0006574397.tif 000007
【図７】
0006574397.tif 000008
【図８】
0006574397.tif 000009
【図９】
0006574397.tif 000010
【図１０】
0006574397.tif 000011
【図１１】
0006574397.tif 000012
【図１２】
0006574397.tif 000013
【図１３】
0006574397.tif 000014
【図１４】
0006574397.tif 000015
【図１５】
0006574397.tif 000016